【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
第１及び第２のフレームの間に、画像の少なくとも１つの中間フレームを構築する方法であって、
前記第１及び第２のフレームの少なくとも一方の中に、前記第１及び第２のフレーム間の数字上の差に少なくとも部分的に基づいて、関連した少なくとも１つの特性を有する複数の点を識別するステップと、
前記複数の点の少なくとも１つが、前記第１のフレームと前記第２のフレームとの間で、その位置を変えているかどうか決定するステップと、
その位置を変えた前記複数の点の前記少なくとも１つを、少なくとも前記第１のフレーム中の第１のピクセルと前記第２のフレーム中の第２のピクセルとに関連づけるステップと、
前記第１のピクセルの位置と前記第２のピクセルの位置との間の関係を決定するステップと、
少なくとも１つの前記中間フレーム中で、少なくとも１つの中間ピクセルの位置を定義するステップと、
を含む方法。
【請求項２】
前記少なくとも１つの中間フレーム中で、その位置を変えている、前記複数の点のうち前記少なくとも１つの点の前記位置を、前記第１及び第２のピクセルの前記位置の間の前記関係に少なくとも部分的に基づいて決定するステップをさらに含む請求項１に記載の方法。
【請求項３】
前記第１及び第２のフレームの間でほとんど動かないままでいた複数の点を識別するステップをさらに含む請求項２に記載の方法。
【請求項４】
運動している点とほとんど静止している点とを含む、中間フレームほぼ全体のピクセルの位置を定義するステップをさらに含む請求項３に記載の方法。
【請求項５】
前記第１及び第２のピクセルの前記位置の間の前記関係を決定するステップが、運動方程式中の少なくとも１つの係数を導出するステップを含む請求項１に記載の方法。
【請求項６】
前記運動方程式が、回転、周回、及び並進運動の少なくとも１つを経る前記複数の点のうち前記少なくとも１つの点の位置を決定する請求項１に記載の方法。
【請求項７】
前記第１及び第２のピクセルの前記位置が、ｘ及びｙ座標によって少なくとも部分的に識別される請求項６に記載の方法。
【請求項８】
関連した少なくとも１つの特性を有する前記複数の点を識別するステップが、オブジェクトを定義するステップを含む請求項１に記載の方法。
【請求項９】
オブジェクトを定義するステップが、観察者の目によって視覚されるとき、前記画像中の物理的オブジェクトの少なくとも一部分を定義するステップを含む請求項８に記載の方法。
【請求項１０】
関連した少なくとも１つの特性を有する前記複数の点を識別するステップが、前記複数の点が回転、周回、及び並進運動の少なくとも１つを経験しているかどうか決定するステップを含む請求項１に記載の方法。
【請求項１１】
前記複数の点の少なくとも１つが、その位置を変えているかどうか決定するステップが、前記第１のフレーム中のピクセル位置と、前記第２のフレーム中のほぼ同じ位置のピクセルとの間の、非ゼロである差を有する点を識別するステップを含む請求項１に記載の方法。
【請求項１２】
前記第１及び第２のフレーム中の複数のオブジェクトを識別するステップをさらに含む請求項１１に記載の方法。
【請求項１３】
前記第１及び第２のフレームを、送信機から受信機に伝送するステップをさらに含む請求項１に記載の方法。
【請求項１４】
変わらないままであった前記複数の点に対する前記中間フレームにおいて、（ａ）前記第１のフレーム中のピクセル情報、（ｂ）前記第２のフレーム中のピクセル情報、（ｃ）前記第１及び第２のフレームのソースから提供された前記中間フレームについてのピクセル情報、並びに（ｄ）前記第１及び第２のフレームの平均ピクセル情報の少なくとも１つに基づいて、ピクセル情報を識別するステップをさらに含む請求項３に記載の方法。
【請求項１５】
変わらないままであった前記複数の点に対する前記ピクセル情報が、色及びグレー・スケール値の少なくとも一方を含む請求項１４に記載の方法。
【請求項１６】
前記複数の点の１つに対する前記ピクセル情報が、前記第１のフレーム中の前記複数の点のうち前記１つのほぼ同じ位置に関連づけられた前記第１のフレーム中の位置でに位置付けられた少なくとも１つのピクセルのものとほぼ同じ色情報を含む請求項１５に記載の方法。
【請求項１７】
前記中間フレーム中の少なくとも１つのピクセルについての情報を伝達するよう、発信元送信機に選択的に要求するステップをさらに含む請求項１に記載の方法。
【請求項１８】
前記第１のピクセルの位置と前記第２のピクセルの位置との間の前記関係を決定するステップが、前記第２のフレーム中でほぼ同じ位置で突き止められた前記第１のピクセルと第３のピクセルの色又はグレー・スケール情報の間の非ゼロである差を少なくとも部分的に識別するステップを含む請求項１に記載の方法。
【請求項１９】
少なくとも前記第１及び第２のフレームを、有線又は無線電話ネットワークを経由して発信元電話から送信先電話に伝達するステップをさらに含む請求項１に記載の方法。
【請求項２０】
第１及び第２のフレームの間に、画像の少なくとも１つの中間フレームを構築するシステムであって、
前記第１及び第２のフレームの少なくとも一方の中に、前記第１及び第２のフレーム間の数字上の差に少なくとも部分的に基づいて、関連した少なくとも１つの特性を有する複数の点を識別するように構成された識別回路と、
前記複数の点の少なくとも１つが、前記第１のフレームと前記第２のフレームとの間で、その位置を変えているかどうか決定するように構成された比較回路と、
その位置を変えた、前記複数の点の前記少なくとも１つを、少なくとも前記第１のフレーム中の第１のピクセルと、前記第２のフレーム中の第２のピクセルとに関連づけるように構成され、前記少なくとも１つの中間フレーム中で少なくとも１つの中間ピクセルの位置を決定するために、前記第１のピクセルの位置と前記第２のピクセルの位置との間の関係を決定するようにさらに構成された処理回路とを備えるシステム。
【請求項２１】
前記処理回路が、前記少なくとも１つの中間フレーム中で、その位置を変えている、前記複数の点のうち前記少なくとも１つの点の前記位置を、前記第１及び第２のピクセルの前記位置の間の前記関係に少なくとも部分的に基づいて決定するように構成される請求項２０に記載のシステム。
【請求項２２】
前記識別回路が、前記第１及び第２のフレームの間でほとんど動かないままでいた複数の点を識別するように構成される請求項２１に記載のシステム。
【請求項２３】
前記処理回路が、動いている、及びほとんど静止している点を含む、中間フレームほぼ全体のピクセルの位置を定義するように構成される請求項２２に記載のシステム。
【請求項２４】
前記処理回路が、運動方程式中で少なくとも１つの係数を導出するように構成される請求項２０に記載のシステム。
【請求項２５】
前記運動方程式が、回転、周回、及び並進運動の少なくとも１つを経る前記複数の点のうち前記少なくとも１つの点の位置を決定する請求項２０に記載のシステム。
【請求項２６】
前記第１及び第２のピクセルの前記位置が、ｘ及びｙ座標によって少なくとも部分的に識別される請求項２５に記載のシステム。
【請求項２７】
前記識別回路が、オブジェクトの点を定義するように構成される請求項２０に記載のシステム。
【請求項２８】
前記識別回路が、前記画像中の物理的オブジェクトの少なくとも一部分を、観察者の目によって視覚されるときに定義する請求項２７に記載のシステム。
【請求項２９】
前記識別回路が、前記複数の点が回転、周回、及び並進運動の少なくとも１つを経験するかどうか決定する請求項２０に記載のシステム。
【請求項３０】
前記比較回路が、前記第１のフレーム中のピクセル位置と、前記第２のフレーム中のほぼ同じ位置のピクセルとの間の非ゼロである差を有する点を識別するように構成される請求項２０に記載のシステム。
【請求項３１】
前記識別回路が、前記第１及び第２のフレーム中の複数のオブジェクトを識別するように構成される請求項３０に記載のシステム。
【請求項３２】
前記第１及び第２のフレームを受信機に送るように構成された送信機をさらに備える請求項２０に記載のシステム。
【請求項３３】
前記処理回路が、変わらないままであった前記複数の点に対する前記中間フレームにおいて、（ａ）前記第１のフレーム中のピクセル情報、（ｂ）前記第２のフレーム中のピクセル情報、（ｃ）前記第１及び第２のフレームのソースから提供された前記中間フレームについてのピクセル情報、並びに（ｄ）前記第１及び第２のフレームの平均ピクセル情報の少なくとも１つに基づいて、ピクセル情報を識別するように構成される請求項２２に記載のシステム。
【請求項３４】
変わらないままであった前記複数の点に対する前記ピクセル情報が、色及びグレー・スケール値の少なくとも一方を含む請求項３３に記載のシステム。
【請求項３５】
前記複数の点の１つに関する前記ピクセル情報が、前記第１のフレーム中の前記複数の点のうち前記１つのほぼ同じ位置に関連づけられた前記第１のフレーム中の位置に位置付けられた少なくとも１つのピクセルのものとほぼ同じ色情報を含む請求項３４に記載のシステム。
【請求項３６】
前記処理回路が、前記中間フレーム中の少なくとも１つのピクセルについての情報を送るよう、発信元送信機に選択的に要求するように構成される請求項２０に記載のシステム。
【請求項３７】
前記処理回路が、前記第１のピクセルのカラー又はグレー・スケール情報と、前記第２のフレーム中のほぼ同じ位置で突き止められた第３のピクセルとの間の非ゼロである差を識別するように構成される請求項２０に記載のシステム。
【請求項３８】
少なくとも前記第１及び第２のフレームを、有線又は無線電話ネットワークを経由して送信先電話に送るように構成された発信元電話をさらに備える請求項２０に記載のシステム。
【請求項３９】
プロセッサが、前記識別、比較、及び処理回路を備える請求項２０に記載のシステム
【請求項４０】
前記数字上の差が、前記第１のフレーム中と前記第２のフレーム中との複数のピクセルに関連づけられた色情報に関する数値の間の差を含む請求項１に記載の方法。